(57)【要約】【課題】チルト調整を行なう調整ねじの取付け位置を自由に選択でき、小型化および薄型化が容易なピックアップユニットを提供すること。【解決手段】  主ガイド２７の端部におけるトラッキング方向の付勢力を、調整板３２で受けるものとし、その調整板３２は、一端部３５をユニット基板２０に固定し、他端部３６を主ガイド２７に当接させ、中間部３７には一端部３５近傍に可撓部３９を設けると共に他端部３６近傍に貫通孔３８を設け、ユニット基板２０から離間させるものとする。【選択図】図７
2008192228.tif 000002
【特許請求の範囲】
【請求項１】
ユニット基板上（２０）に配置した主ガイド（２７）および副ガイド（２８）に沿ってピックアップ（１７）をディスクに対するラジアル方向に往復動自在とし、前記主ガイドは、その一端側のディスクに対するトラッキング方向の位置を固定し、他端側のトラッキング方向の位置を調整可能としたピックアップユニット（１）において、
前記主ガイドの端部をトラッキング方向に付勢するばね（３４）と、
一端部（３５）をユニット基板に固定し、他端部（３６）を主ガイドの端部に当接させて前記ばねのトラッキング方向の付勢力を受け、中間部（３７）は前記他端部近傍に貫通孔を（３８）有すると共に前記一端部近傍に可撓部（３９）を有して前記ユニット基板から離間させた調整板（３２）と、
前記貫通孔を通してユニット基板にその裏面側より螺合した調整ねじ（４０）とを具備したことを特徴とするピックアップユニット。
【請求項２】
前記可撓部は、前記中間部の一部を切欠いて形成されていることを特徴とする請求項１に記載のピックアップユニット。
【請求項３】
前記調整板は一端部と中間部との間、および中間部と他端部との間は、それぞれ段差によって区画され、一端部、中間部および他端部の高さを順次異ならせたことを特徴とする請求項１に記載のピックアップユニット。
【発明の詳細な説明】
【技術分野】
【０００１】
本発明は、ピックアップガイドの傾き調整、すなわちピックアップのチルト調整を行なう調整ねじの取付け位置を、周辺の状況に応じて自由に選択でき、小型化および薄型化が容易なピックアップユニットに関する。
【背景技術】
【０００２】
特開２００２−３５２５３１号公報には光学ピックアップのガイド装置が記載されている。ガイド軸（２）の一端側をねじりコイルばね（１２）によりディスクに対するラジアル方向、トラッキング方向およびこれら両方向に直交する第三の方向に付勢し、トラッキング方向および第三の方向の付勢力を第一当接部（８）で受け、ラジアル方向の付勢力をガイド軸（２）の他端側において傾斜受け部（１７）で受け、この傾斜受け部（１７）によって第三の方向に生じる分力をガイド軸（２）の他端側において第二当接部（９）で受けるようにしている。
ただし、ガイド軸（２）の傾き調整、すなわちピックアップのチルト調整については、何ら記載されていない。
【０００３】
特開２００４−７１１３６号公報には光ディスクプレーヤのチルト調整装置が記載されている。光ピックアップ（３０）を往復移動可能にガイドするガイドシャフト（１１０，１２０）の調整端部（１１２，１２１）は弾性部材（１３０，１４０）により上方向に弾性的に押圧され、上側に設けた調整ねじ（１５０，１６０）の締め加減により光ピックアップ（３０）のチルト調整を可能としている。
特に、調整端部（１１２，１２１）となる部分は、ガイドシャフト（１１０，１２０）の上半分をカッティングして形成され、このカッティング面（１１６，１２６）に有底のホール（１１４，１２４）を設けて調整ねじ（１５０，１６０）をホール（１１４，１２４）の底面に当てるようにし、調整ねじの高さを低く抑えるようにしている。
【特許文献１】特開２００２−３５２５３１号
【特許文献２】特開２００４−７１１３６号
【発明の開示】
【発明が解決しようとする課題】
【０００４】
特開２００２−３５２５３１号公報には、光学ピックアップのガイド装置において、ばねおよび受け部を用いてガイド軸（２）を定位置に保持する機構は示されているが、チルト調整に関する記載はない。
【０００５】
特開２００４−７１１３６号公報に開示されたものは、光ディスクプレーヤのチルト調整装置を薄型化するために、ガイドシャフト（１１０，１２０）の上半部をカッティングし、そのカッティング面（１１６，１２６）に有底のホール（１１４，１２４）を設けて調整ねじ（１５０，１６０）をホール（１１４，１２４）の底面に当てるようにしている。しかしながら、ガイドシャフトの直径は一般に３ｍｍ程度であるため、この上半部をカッティングし、さらに有底のホール（１１４，１２４）を設けても、調整ねじ（１５０，１６０）の高さはせいぜい２ｍｍ程度しか低くできず、調整ねじ（１５０，１６０）の頭部がガイドシャフト（１１０，１２０）の外周面から上方へ大きく突出することに変りはない。現に、特開２００４−７１１３６号公報中の図面（図２，３等）を見ても、調整ねじ（１５０，１６０）はガイドシャフト（１１０，１２０）の外周面より上方へ大きく突出している。すなわち、調整ねじ（１５０，１６０）をガイドシャフト（１１０，１２０）に直接当ててチルト調整を行なう構成である以上、調整ねじの取付け位置が限定されてしまうため、調整端部の形状に工夫を凝らした程度では、装置の薄型化に限界があった。
【０００６】
特開２００４−７１１３６号公報に記載された光ディスクプレーヤのチルト調整装置に、特開２００２−３５２５３１号公報に開示された技術を適用したとしても、特開２００４−７１１３６号公報の調整ねじ（１５０，１６０）をガイドシャフト（１１０，１２０）に直接当てることに変りはなく、調整ねじの取付け位置が限定されるため、光ディスクプレーヤのチルト調整装置の薄型化には限界があった。
【０００７】
本発明は、このような問題に鑑みてなされたもので、チルト調整を行なう調整ねじの取付け位置を、周辺の状況に応じて自由に選択でき、小型化および薄型化が容易なピックアップユニットを提供することを目的とする。
【課題を解決するための手段】
【０００８】
ユニット基板上に配置した主ガイドおよび副ガイドに沿ってピックアップをディスクに対するラジアル方向に往復動自在とし、前記主ガイドは、その一端側のディスクに対するトラッキング方向の位置を固定し、他端側のトラッキング方向の位置を調整可能としたピックアップユニットにおいて、主ガイドの端部をばねによってトラッキング方向に付勢すると共に、このばねのトラッキング方向の付勢力を調整板で受けるものとする。
調整板は、一端部をユニット基板に固定し、他端部を主ガイドの端部に当接させて前記ばねによるトラッキング方向の付勢力を受け、中間部は前記ユニット基板から離間させて、この中間部には前記他端部近傍に貫通孔を設けると共に前記一端部近傍に可撓部を設け、調整ねじを、前記貫通孔を通してユニット基板に螺合し、調整ねじの締め加減によりチルト調整を行なうものとする。
【０００９】
前記可撓部は、中間部の一部を切欠いて形成するとよい。
【００１０】
前記調整板は一端部と中間部との間、および中間部と他端部との間は、それぞれ段差によって区画され、一端部、中間部および他端部の高さを順次異ならせるとよい。
【発明の効果】
【００１１】
調整板は、一端部をユニット基板に固定し、他端部を主ガイドの端部に当接させて、ばねによるトラッキング方向の付勢力を受けるようにし、調整板の中間部は一端部近傍に可撓部を有し、他端部近傍に貫通孔を有するものとし、この貫通孔を通して調整ねじをユニット基板に螺合する構成としたので、調整ねじの取付け位置は周辺の状況に応じて自由に選択できるものとなり、ピックアップユニットの小型化および薄型化を図ることができる。
【００１２】
また、可撓部は中間部の一部を切欠いて容易に形成することができる。
【００１３】
調整板は、一端部と中間部との間および中間部と他端部との間にそれぞれ段差を設けた形状すると、ユニット基板の平坦な面に取付けることができる。
【発明を実施するための最良の形態】
【００１４】
以下、本発明のディスク装填装置を実施するための最良の形態を、図面を参照して説明する。
図１はピックアップユニット１（図２参照）を内蔵したディスク再生機２を示すものである。ディスク再生機２の外筐３は上フレーム４と下フレーム５からなる。
【００１５】
外筐３の前板にはディスク挿入口６が設けられ、ディスクＤは、この挿入口６より矢印Ａ方向に挿入される。また、上フレーム４は、ディスク挿入口６に近い部位を部分的に凹ませて、この凹ませた部分をガイドプレート７としている。ガイドプレート７の前後縁部には開口部８が設けられ、ガイドプレート７の上面側と上フレーム４の下面側とを水平方向に連通させている。
ガイドプレート７の上面には、左右一対の水平回動自在なディスク検出部材９が配置され、各ディスク検出部材９の両端は、開口部８を通して上フレーム４の下面側に沿って延びている。
【００１６】
各ディスク検出部材９は、ディスク挿入口６の近傍まで延長された一端をディスク接触部１０としている。また、ガイドプレート７上には、両ディスク検出部材９間に、互いに噛合する左右一対の連動ギヤ１１を配置している。各ディスク検出部材９を各連動ギヤ１１に噛合させて、両ディスク検出部材９を左右対称に同期回動させるようにしている。各連動ギヤ１１と上フレーム４との間にはコイルばね１２が掛渡され、左右のディスク接触部１０を互いに接近させる方向に、両ディスク検出部材９を回動付勢している。
【００１７】
前記下フレーム５の上面には、図２に示すように、ピックアップユニット１が、複数の防振用ダンパ１３を介して取付けられると共に、ピックアップユニット１と隣接して電子回路基板１５が取付けられている。また、下フレーム５の側板にはディスク搬送用のモータ１４が取付けられ、このモータ１４は電子回路基板１５に設けられた制御回路により制御される。
【００１８】
ピックアップユニット１は、マグネットを内蔵するターンテーブル１６、ディスクに記録された情報を再生し、またはディスクに情報を記録するピックアップ１７、このピックアップ１７をターンテーブル１６からユニット基板２０のコーナー（図中左斜め上方）に向けてディスクＤに対するラジアル方向へ往復動自在に支持するピックアップ支持手段１８、ピックアップ１７を往復駆動するフィードモータ手段１９等を、ユニット基板２０上に取付けて構成されている。
【００１９】
前記ユニット基板２０は、金属板からなり、中央に大開口部２１を有し、前記ターンテーブル１６、ピックアップ１７、フィードモータ手段１９は、ほぼこの大開口部２１の内側に配置されている。ユニット基板２０の外周には、段曲げ加工によって複数の取付部２２が形成され、これらの取付部２２が前記ダンパ１３を介して上フレーム５に取付けられている。
【００２０】
フィードモータ手段１９は、送りねじ２４を備えたフィードモータ２５とそれらを支持するモータ支持板２６とで構成されている。モータ支持板２６は、フィードモータ２５の一端に固定するモータ取付け片２６ａと、送りねじ２４の先端を軸支する軸支片２６ｂとを有し、ユニット基板２０の裏面側に取付けられている。
【００２１】
前記ピックアップ支持手段１８は、ステンレス製の丸棒よりなる主ガイド２７および副ガイド２８を主体として構成されている。
【００２２】
図３はピックアップユニット１の裏面図で、前記ユニット基板２０は、前記大開口部２１の周縁の一部を折り曲げ形成された第一の受け部２９および第三の受け部３０を有する。
また、ユニット基板２０の周縁部は上方へ折り曲げられ、その折り曲げ部の一部を第二の受け部３１としている。
さらに、ユニット基板２０の裏面には金属製の調整板３２がねじで固定されている。
【００２３】
前記第一の受け部２９は図４に示すように横片２９ａおよび縦片２９ｂからなるカギ形をなし、これら各片に主ガイド２７の一端側外周面を当接させている。
図３に示すように前記第二の受け部３１には、主ガイド２７の他端縁を斜めに当接させており、前記第三の受け部３０には、主ガイド２７の他端側外周面を当接させている。
【００２４】
前記ユニット基板２０の裏面には第一トーションばね３３および第二のトーションばね３４が取付けられている。第一トーションばね３３は図４および図５に示すように、主ガイド２７の一端縁に当接している。すなわち、第一トーションばね３３は、主ガイド２７の一端縁に対して図４における右下から左上へ向けて、同時に図５における上方から下方へ向けて押圧しており、この押圧力によって、主ガイド２７の一端縁において、図４における上方向（ディスクに対するトラッキング方向）、左方向（第三の方向）および図５における下方向（ディスクに対するラジアル方向）の分力を生じる。そして図４の如く、トラッキング方向の分力は第一の受け部２９の横片２９ａで受け、第三の方向の分力は縦片２９ｂで受け、また図５の如く、ラジアル方向の分力は前記第二の受け部３１で受けるようにしている。このとき主ガイド２７の他端縁が第二の受け部３１に対して、斜めに当接しているので、第１トーションばね３３によるラジアル方向の分力は、この当接部において、さらに図５における右方向（第三の方向）の分力を生じ、この分力は前記第三の受け部３０で受けることになる。
【００２５】
前記第二のトーションばね３４は図６に示すように、主ガイド２７の他端側外周面に当接している。すなわち、第二トーションばね３４は、主ガイド２７の外周面に対して図７における左上から右下へ向けて押圧しており、この押圧力によって、主ガイド２７の他端側において、図７における下方向（ディスクに対するトラッキング方向）および右方向（第三の方向）の分力を生じる。そして第三の方向の分力は前記第三の受け部３０（図５参照）で受け、トラッキング方向の分力は前記調整板３２で受けるようにしている。
【００２６】
前記調整板３２は、一端部３５をユニット基板２０の裏面側に固定し、他端部３６を主ガイド２７の他端側外周面に下方より当接させて、この他端部３６で前記第二のトーションばね３４によるトラッキング方向の分力を受け、中間部３７は前記ユニット基板２０から離間させている。この中間部３７は、前記他端部近傍に貫通孔３８を有すると共に前記一端部３５近傍に一部を切欠いて可撓性を持たせた可撓部３９を有している。
前記一端部３５と中間部３７との間、および中間部３７と他端部３６との間は、それぞれ段差によって区画され、一端部３５から他端部３６へ高さが順次低くなるように形成されている。また、中間部３７は比較的長く設定されて、可撓部３９を撓み易くしている。
なお、ユニット基板２０はできる限り小型にし、しかも大開口部２１が設けられるため、調整板３２を取付ける位置および面積は限られてしまうが、調整板３２は、図４に示すように、ユニット基板２０の形状に合わせてどのような形状にも設定することができ、ユニット基板２０に容易に取付けることができる。
【００２７】
図７中４０は調整ねじで、この調整ねじ４０は前記貫通孔３８を通してユニット基板２０の裏面側に螺合されている。調節ねじ４０の位置も、ユニット基板２０の形状など、周辺の状況に応じて自由に選択可能である。
なお、前記副ガイド２８は、図２の如く、両端を前記ユニット基板２０の裏面に取付けられている。
【００２８】
以上の構成において、ピックアップ１７のチルト調整は、調整ねじ４０締め加減により行なう。
すなわち、調整ねじ４０を第二のトーションばね３４のトラッキング方向の分力に抗して締込むと、主ガイド２７の他端部が上昇し、逆に、調整ねじ４０を緩めると、主ガイド２７の他端部が下降する。
【００２９】
以上説明した実施の形態では、調整板３２は、一端部３５と中間部３７との間および中間部３７と他端部３６との間にそれぞれ段差を設けた形状としたので、ユニット基板２０の平坦な面に取付けても中間部３７がユニット基板２０から離間することになるが、要は、調整板３２の一端部３５をユニット基板２０の裏面側に固定した際、他端部３６が主ガイド２７に当接してばね３４によるトラッキング方向の付勢力を受けるようになり、中間部３７がユニット基板２０から離間するようになればよいのであるから、ユニット基板２０の形状いかんによっては、前記段差は必ずしも必要ではない。
【００３０】
また、第一のばね３３および第二のばね３４をトーションばねとしたが、これらは板ばねその他のばねにすることもできる。さらに、単一の第ニトーションばね３４によって主ガイド２７の他端側をトラッキング方向と第三の方向に同時に付勢するようにしたが、付勢方向ごとに別々のばねを用いてもよい。
【図面の簡単な説明】
【００３１】
【図１】ピックアップユニットを内蔵したディスク再生機。
【図２】下フレームにピックアップユニット等を取付けた状態を示す平面図。
【図３】ピックアップユニットを裏面図。
【図４】第一の受け部と第一のトーションばねとの関係を、主ガイドの軸方向より見た側面図。
【図５】第一のトーションばねと各受け部の関係を示す平面図。
【図６】調整板と第二のトーションばねとの関係を示す裏面図。
【図７】調整板と第二のトーションばねとの関係を、主ガイドの軸方向より見た側面図。
【符号の説明】
【００３２】
１                 
ピックアップユニット
１７             
ピックアップ
２０             
ユニット基板
２７             
主ガイド
２８             
副ガイド
３２                調整板
３５            一端部
３６            他端部
３７            中間部
３４                第二のトーションばね
３８                貫通孔
３９                可撓部
４０            調整ねじ
【図１】
2008192228.tif 000003
【図２】
2008192228.tif 000004
【図３】
2008192228.tif 000005
【図４】
2008192228.tif 000006
【図５】
2008192228.tif 000007
【図６】
2008192228.tif 000008
【図７】
2008192228.tif 000009